(57)【特許請求の範囲】
【請求項１】
可動式センサーと可動式センサー保持部品とを備え、これらが本体に取り付けられて前面パネルから外部に臨んでいる空気調和機において、
前記可動式センサー保持部品の一部を薄肉化し、その薄肉部の内側にリモコン受信部品を設け、
前記可動式センサー保持部品は、凹状底部に位置する窓部と、該窓部から両側に向かって前面側に傾斜する傾斜面と、該傾斜面の両側に位置する薄肉部とを有し、前記可動式センサーはそのセンサー部が前記可動式センサー保持部品の前記窓部から外部に臨んでおり、
前記可動式センサー保持部品の傾斜面は、前記可動式センサーのセンサー部の最大検知範囲と一致するように形成され、
前記可動式センサーは、前記最大検知範囲内を回動し、床面の温度を検出することを特徴とする空気調和機。
【請求項２】
可動式センサーと可動式センサー保持部品とを備え、これらが本体に取り付けられて前面パネルから外部に臨んでいる空気調和機において、
前記可動式センサー保持部品の一部を薄肉化し、その薄肉部の内側にリモコン受信部品を設け、
前記可動式センサーに駆動モーターを取り付けてこれらを前記可動式センサー保持部品で保持した可動式センサー組立部品を備え、
前記可動式センサー組立部品及び前記リモコン受信部品を基板固定部品に取り付けて基板固定組立部品を形成し、
該基板固定組立部品を前記本体に取付け、
前記リモコン受信部品は、前記基板固定部品と前記可動式センサー保持部品との間に設けられていることを特徴とする空気調和機。
【請求項３】
前記可動式センサー保持部品は、凹状底部に位置する窓部と、該窓部から両側に向かって前面側に傾斜する傾斜面と、該傾斜面の両側に位置する薄肉部とを有し、前記可動式センサーはそのセンサー部が前記可動式センサー保持部品の前記窓部から外部に臨んでいることを特徴とする請求項２記載の空気調和機。
【請求項４】
前記可動式センサー保持部品の傾斜面は、前記可動式センサーのセンサー部の最大検知範囲と一致するように形成されたことを特徴とする請求項３記載の空気調和機。
【請求項５】
前記可動式センサーに駆動モーターを取り付けてこれらを前記可動式センサー保持部品で保持したことを特徴とする請求項１に記載の空気調和機。
【請求項６】
前記可動式センサーに駆動モーターを取り付けてこれらを前記可動式センサー保持部品で保持した可動式センサー組立部品を、前記リモコン受信部品とともに基板固定部品に取り付けて基板固定組立部品を形成し、該基板固定組立部品を前記本体に取付けたことを特徴とする請求項５記載の空気調和機。
【請求項７】
前記基板固定部品に配線の保持片を設け、前記配線を前記保持片を介して制御基板に導くようにしたことを特徴とする請求項２または６記載の空気調和機。
【請求項８】
前記リモコン受信部品を前記基板固定部品に固定する固定部品を設け、該固定部品にフック部を設けて、該フック部によって前記リモコン受信部品からの配線を前記基板固定部品に固定するようにしたことを特徴とする請求項２、６または７記載の空気調和機。
【請求項９】
前記前面パネルが透明樹脂で成形され、裏面に塗装または印刷処理が施されたことを特徴とする請求項１〜８のいずれかに記載の空気調和機。
【請求項１０】
前記可動式センサー及び可動式センサー保持部品が、前記本体の吹出口の上側中央部分付近に取り付けられるとともに、前記前面パネルの下部の中央部近傍に開口する逃がし部から前記可動式センサーが外部に臨んでいることを特徴とする請求項１〜９のいずれかに記載の空気調和機。
【発明の詳細な説明】
【技術分野】
【０００１】
本発明は、可動式センサー保持部品の一部を薄肉化し、その内部にリモコン受信部品を配置した空気調和機に関する。
【背景技術】
【０００２】
従来の空気調和機に、前面パネル（不透明樹脂）の一部を薄肉化してリモコン受信を行うようにしたものがある（例えば、特許文献１参照）。
【０００３】
【特許文献１】特開２０００−３２０８８１号公報（第２頁−第３頁、図１）
【発明の開示】
【発明が解決しようとする課題】
【０００４】
特許文献１記載の空気調和機は、部品サイズが大きい前面パネルの一部を薄肉化してリモコン受信部としていたため、射出成形時に、薄肉部で樹脂の流れが急激に変化し、前面パネルに波打ちが生じたり、色合いが部分的に異なって、意匠面の外観を損なうという問題があった。
また、前面パネルに薄肉部があるため、成形するにあたっての設備の条件設定幅が狭くなり、成形時間を短縮することができず、コストアップにつながるという問題があった。
さらに、前面パネルを透明にした場合は、リモコン受信部に対応する部分を薄肉化すると前面パネルの意匠上の一体感が損なわれ、また、裏面に塗装や印刷処理を施すことで、リモコンの受信感度が悪化するという問題があった。
【０００５】
本発明は、上記のような課題を解決するためになされたもので、製造が容易で意匠性に優れた空気調和機を得ることを目的とする。
また、安価であり、従来と同等のリモコン受信性能を備えた空気調和機を得ることを目的とする。
【課題を解決するための手段】
【０００６】
本発明に係る空気調和機は、可動式センサーと可動式センサー保持部品とを備え、これらが本体に取り付けられて前面パネルから外部に臨んでいる空気調和機であって、
可動式センサー保持部品の一部を薄肉化し、その薄肉部の内側にリモコン受信部品を設け、前記可動式センサー保持部品は、凹状底部に位置する窓部と、該窓部から両側に向かって前面側に傾斜する傾斜面と、該傾斜面の両側に位置する薄肉部とを有し、前記可動式センサーはそのセンサー部が前記可動式センサー保持部品の前記窓部から外部に臨んでおり、前記可動式センサー保持部品の傾斜面は、前記可動式センサーのセンサー部の最大検知範囲と一致するように形成され、前記可動式センサーは、前記最大検知範囲内を回動し、床面の温度を検出するものである。
また、本発明に係る空気調和機は、可動式センサーと可動式センサー保持部品とを備え、これらが本体に取り付けられて前面パネルから外部に臨んでいる空気調和機であって、
前記可動式センサー保持部品の一部を薄肉化し、その薄肉部の内側にリモコン受信部品を設け、前記可動式センサーに駆動モーターを取り付けてこれらを前記可動式センサー保持部品で保持し、前記可動式センサーに駆動モーターを取り付けてこれらを前記可動式センサー保持部品で保持した可動式センサー組立部品を、前記リモコン受信部品とともに基板固定部品に取り付けて基板固定組立部品を形成し、該基板固定組立部品を前記本体に取付け、前記リモコン受信部品は、前記基板固定組立部品と前記可動式センサー保持部品との間に設けられているものである。
【発明の効果】
【０００７】
可動センサー保持部品の一部に薄肉部を設け、この薄肉部をリモコン信号が透過してリモコン受信が可能となるので、前面パネルにはリモコン受信用の薄肉部を設ける必要がなく、このため意匠性を損なわず、リモコン受信が可能となる。
【発明を実施するための最良の形態】
【０００８】
図１は本発明の一実施の形態に係る空気調和機の正面図、図２は図１の前面パネルを取外した状態の斜視図、図３は図１のイ−イ断面図、図４は図１のロ−ロ断面図、図５は図３の基板固定組立部品の分解斜視図、図６は図５の基板固定組立部品を組み立てた状態の要部の正面図、図７は図６のリモコン受信部品の取り付け部近傍の拡大斜視図である。
【０００９】
図１、図２に示すように、空気調和機は、熱交換装置や送風装置（図示せず）を備え、これらの運転制御信号を出力するワイアレスのリモートコントローラ（図示せず）を有し、リモートコントローラから出力された信号を受信する機能を備えて、その信号に基づいた動作を行うようになっている。
空気調和機の意匠部となる前面パネル１は透明樹脂により本体に着脱可能に成形されており、裏面に塗装または印刷処理が施されている。そして、本体の吹出口２の上側中央部分には、可動式センサー（例えば、床面の温度を検出する可動式の輻射センサー）３が、可動式センサー保持部品４に取り付けられた状態で、本体のパネル取付板に取り付けられており、前面パネル１の下部の中央部近傍に開口された逃がし部１ａから室内に臨んでいる。
【００１０】
より詳しくは、図３に示すように、可動式センサー保持部品４は、凹状底部に位置する窓部４ａと、この窓部４ａから両側に向かって前面側に傾斜する傾斜面４ｂと、傾斜面４ｂの両側に位置してこれよりも薄い平面状の薄肉部４ｃとを有し、可動式センサー３は、そのセンサー部３ａの前面が可動式センサー保持部品４の窓部４ａから外部に臨んでいる。可動式センサー保持部品４の傾斜面４ｂは、可動式センサー３の最大検知範囲Ａと一致するように形成されており、薄肉部４ｃは、可動式センサー３の最大検知範囲Ａと重ならない部分に設けられて、その薄肉部４ｃの内側にリモコン受信部品３０が配置されている。そして、薄肉部４ｃは、リモートコントローラからの信号を受信できる範囲、すなわち、リモコン受光範囲をカバーできる大きさを有している。
なお、上記の説明では、傾斜面４ｂの両側にこれよりも薄い平面状の薄肉部４ｃを設けた場合を示したが、傾斜面４ｂを薄肉部４ｃと同じ厚さに薄肉化してもよく、そのように傾斜面４ｂを形成することで、リモコン受信部品３０の配置の制限を緩和することができる。この場合、可動式センサー保持部品４は、例えば、薄肉部４ｃの厚さを１ｍｍとし、傾斜面４ｂの厚さも同様に１ｍｍとする。    
【００１１】
可動式センサー３は、図４に示すように、その回転軸Ｂ上に、軸受け部３ｂと、可動センサー駆動モーター６との連結部３ｃとを有し、可動センサー駆動モーター６とともに可動式センサー保持部品４に装着され、これらが一体となって可動式センサー組立部品１００を構成している。
【００１２】
可動式センサー組立部品１００は、図５に示すように、ＬＥＤ等の光をパネル越しに表示させる表示部品である表示基板２０及び基板ホルダー２１、リモコン受信部品３０、及び可動式センサー駆動モーター６のカバー４０とともに、基板固定部品５０に一体に固定されており、これらが一体となって基板固定組立部品２００を構成して、本体のパネル取付板に取り付けられている。
そして、図２に示すように、前面パネル１には、可動式センサー保持部品４の窓部４ａ、傾斜面４ｂ、薄肉部４ｃの部分を避けるように逃がし部１ａを設けているので、この逃がし部１ａから、可動式センサー保持部品４の窓部４ａ、傾斜面４ｂ、薄肉部４ｃが室内に直接臨んでいる。
【００１３】
図６に示すように、基板固定部品５０には保持片５１が設けられており、この保持片５１には、可動式センサー３、可動式センサー駆動モーター６、リモコン受信部品３０、及び表示基板２０の配線６０が掛けられて固定され、これらの配線６０は本体の制御基板（図示せず）に導かれている。
【００１４】
リモコン受信部品３０は、図７に示すように、固定部品３１によって基板固定部品５０に固定されている。固定部品３１の背面側上下には爪部（図示せず）が形成され、これらの爪が、基板固定部品５０に設けられた溝（図示せず）に弾性変形して嵌入され、溝に爪部が係止されて固定部品３１が基板固定部品５０に固定される。そして、リモコン受信部品３０は固定部品３１と基板固定部品５０の間に挟持されて固定される。
また、固定部品３１の側方にはフック部３２が設けられており、リモコン受信部品３０から伸びる配線６０を上方に導くように押さえて、その配線６０を基板固定部品５０上の定められたルートに這わせ易くしている。
【００１５】
次に、動作について説明する。  
可動式センサー駆動モーター６によって可動式センサー３が回動軸Ｂの周りに１８０°未満の所定の角度範囲を回動し、センサー部３ａによって床面の温度等を検出する。そして、その検出結果に基づいて、室内に向けて吹出口２より送風する温度、風向、風量を制御して、快適な空調を実現する。
これらの制御は、空気調和機の室外機（図示せず）に設置され、冷凍サイクルの冷媒を圧縮する圧縮機の回転数や、吹出口２に配置され、上下方向および左右方向の風向を調整する風向板（図示せず）の角度、前述した送風装置である室内ファン（図示せず）の回転数の一つ以上を変更することによりなされる。
空気調和機に信号を送る場合は、リモートコントローラから空気調和機に向けて信号を発信する。リモートコントローラから発せられた信号は、空気調和機の可動式センサー保持部品４の薄肉部４ｃを透過してその内部に位置するリモコン受信部品３０によって受信され、その信号に基づいた動作を行う。
【００１６】
本実施の形態によれば、可動式センサー３と可動式センサー保持部品４とを備え、これらが本体に取り付けられて前面パネル１から外部に臨むようにし、可動式センサー保持部品４の一部を薄肉化し、その薄肉部４ｃの内側にリモコン受信部品３０を設けたので、前面パネル１にはリモコン受信用の薄肉部４ｃを設ける必要がなく、そのため意匠性を損なわずに、従来と同等のリモコン受信性能を得ることができる。
【００１７】
また、可動式センサー保持部品４は、凹状底部に位置する窓部４ａと、窓部４ａから両側に向かって前面側に傾斜する傾斜面４ｂと、傾斜面４ｂの両側に位置する薄肉部４ｃとを有し、可動式センサー３はそのセンサー部３ａが可動式センサー保持部品４の窓部４ａから外部に臨んでおり、可動式センサー保持部品４の傾斜面４ｂは、可動式センサー３のセンサー部３ａの最大検知範囲Ａと一致するように形成されているので、可動式センサー保持部品４の薄肉部４ｃは、可動式センサー３の検知範囲と重なることはない。
【００１８】
さらに、可動式センサー３に可動式センサー駆動モーター６を取り付けてこれらを可動式センサー保持部品４で保持した可動式センサー組立部品１００を、リモコン受信部品３０とともに基板固定部品５０に取り付けて基板固定組立部品２００を形成し、これを本体に取付け、また、基板固定部品５０には配線６０の保持片５１を設け、配線６０を保持片５１を介して制御基板に導くようにしたので、基板固定組立部品２００を空気調和機の本体に容易に取り付けることができ、組み立て作業性が良く、安価となる。
【００１９】
また、前面パネル１が透明樹脂で成形され、裏面に塗装または印刷処理を施した場合でも、リモコン受信部品３０は可動式センサー保持部品４の薄肉部４ｃの内側に設けてあるので、リモートコントローラからの受信感度が低下するということはない。
【００２０】
さらに、固定部品３１の側方にフック部３２を設け、リモコン受信部品３０から伸びる配線６０を上方に導くように押さえて、その配線６０を基板固定部品５０上の定められたルートに這わせ易くしているので、可動式センサー組立部品１００を基板固定部品５０に取り付ける際に、その配線６０の噛みこまれを防止でき、組立作業性がよくなるとともに、配線の信頼性向上が図れる。
【図面の簡単な説明】
【００２１】
【図１】本発明の一実施の形態に係る空気調和機の正面図である。
【図２】図１の前面パネルを取外した状態の斜視図である。
【図３】図１のイ−イ断面図である。
【図４】図１のロ−ロ断面図である。
【図５】図３の基板固定組立部品の分解斜視図である。
【図６】図５の基板固定組立部品を組み立てた状態の要部の正面図である。
【図７】図６のリモコン受信部品近傍の取り付け部の拡大斜視図である。
【符号の説明】
【００２２】
１  前面パネル、１ａ  逃がし部、２  吹出口、３  可動式センサー、３ａ  センサー部、４  可動式センサー保持部品、４ａ  窓部、４ｂ  傾斜面、４ｃ  薄肉部、６  可動式センサー駆動モーター（駆動モーター）、３０  リモコン受信部品、３１  固定部品、３２  フック部、５０  基板固定部品、５１  保持片、６０  配線、１００  可動式センサー組立部品、２００  基板固定組立部品。
【図１】
0004818238.tif 000002
【図２】
0004818238.tif 000003
【図３】
0004818238.tif 000004
【図４】
0004818238.tif 000005
【図５】
0004818238.tif 000006
【図６】
0004818238.tif 000007
【図７】
0004818238.tif 000008